(57)【要約】【課題】複数チューナを搭載した受信装置において、チューナ間に特性差があっても、ユーザに不要な誤解や不快感を与えないようにする。【解決手段】チューナ特性比較部２３は各チューナ２５，２６から出力される信号の品質を比較する。出力制御部２１は、各チューナからの出力信号の品質の中で最悪の品質が閾値を下回ったとき、全てのチューナからの出力を停止する。または出力制御部２１は、各チューナのうち少なくとも１つのチューナからの出力信号の品質が閾値を下回ったとき、各チューナからの出力経路を、出力信号の品質が最悪のチューナからの出力経路に切り替える。さらにチューナ特性記憶部２２には各チューナの特性差を記憶し、これを用いて他のチューナからの出力信号の品質を算出する。【選択図】図２
2006333285.tif 000002
【特許請求の範囲】
【請求項１】
複数のチューナを有し、デジタル放送を受信し、映像または音声信号を出力するデジタル放送受信装置において、
上記各チューナから出力される信号の品質を比較するチューナ特性比較部と、
上記映像または音声信号の出力を制御する出力制御部と、を備え、
該出力制御部は、上記チューナ特性比較部の比較結果に基づき、上記全てのチューナからの映像または音声信号の出力を停止することを特徴とするデジタル放送受信装置。
【請求項２】
請求項１記載のデジタル放送受信装置において、前記各チューナは同一チャンネルのデジタル放送を選局していることを特徴とするデジタル放送受信装置。
【請求項３】
請求項１記載のデジタル放送受信装置において、前記各チューナからの出力信号の品質の中で最悪の品質が閾値を下回ったとき、前記出力制御部は、前記全てのチューナからの出力を停止することを特徴とするデジタル放送受信装置。
【請求項４】
請求項１記載のデジタル放送受信装置において、
前記複数のチューナと前記チューナ特性比較部を含み、選局、デジタル復調、伝送路復号を行うフロントエンド部と、
該フロントエンド部から出力される放送ストリームを映像ストリームと音声ストリームに分離する多重分離部と、
該映像ストリームと該音声ストリームをデコードするデコード部を備え、
前記出力制御部は、上記多重分離部または上記デコード部からの出力を停止することを特徴とするデジタル放送受信装置。
【請求項５】
請求項１記載のデジタル放送受信装置において、
前記信号の品質として、Ｃ／Ｎ比、Ｓ／Ｎ比、エラーレートの少なくとも１つを用いることを特徴とするデジタル放送受信装置。
【請求項６】
請求項１記載のデジタル放送受信装置において、
前記チューナ特性比較部により求めた各チューナの特性差の情報を記憶するチューナ特性記憶部を有し、
前記出力制御部は、１つのチューナから取得した出力信号の品質と、上記チューナ特性記憶部に記憶する各チューナの特性差の情報を用いて、他のチューナからの出力信号の品質を算出し、該各チューナからの出力信号の品質の中で最悪の品質が閾値を下回ったとき、前記全てのチューナからの出力を停止することを特徴とするデジタル放送受信装置。
【請求項７】
請求項６記載のデジタル放送受信装置において、前記チューナ特性記憶部には、各チューナの特性差の情報として、同一チャンネルを選局した際に各チューナからの出力信号の品質の差分値を記憶することを特徴とするデジタル放送受信装置。
【請求項８】
請求項６記載のデジタル放送受信装置において、前記チューナ特性記憶部には、受信するチャンネル毎に各チューナの特性差の情報を記憶することを特徴とするデジタル放送受信装置。
【請求項９】
複数のチューナを有し、デジタル放送を受信し、映像または音声信号を出力するデジタル放送受信装置において、
上記各チューナから出力される信号の品質を比較するチューナ特性比較部と、
上記映像または音声信号の出力を制御する出力制御部と、を備え、
該出力制御部は上記チューナ特性比較部の比較結果に基づき、上記各チューナのうち少なくとも１つのチューナからの出力信号の品質が閾値を下回ったとき、上記各チューナからの映像または音声信号の出力経路をその出力信号の品質が最悪のチューナからの出力経路に切り替えることを特徴とするデジタル放送受信装置。
【請求項１０】
請求項９記載のデジタル放送受信装置において、前記各チューナは同一チャンネルのデジタル放送を選局していることを特徴とするデジタル放送受信装置。
【請求項１１】
請求項９記載のデジタル放送受信装置において、
前記複数のチューナと前記チューナ特性比較部を含み、選局、デジタル復調、伝送路復号を行うフロントエンド部と、
該フロントエンド部から出力される放送ストリームを映像ストリームと音声ストリームに分離する多重分離部と、
該映像ストリームと該音声ストリームをデコードするデコード部を備え、
上記フロントエンド部は、各チューナからの出力経路を切り替えるチューナ出力切り替え部を有することを特徴とするデジタル放送受信装置。
【請求項１２】
請求項９記載のデジタル放送受信装置において、
前記チューナ特性比較部により求めた各チューナの特性差の情報を記憶するチューナ特性記憶部を有し、
前記出力制御部は、１つのチューナから取得した出力信号の品質と、上記チューナ特性記憶部に記憶する各チューナの特性差の情報を用いて、他のチューナからの出力信号の品質を算出し、前記各チューナのうち少なくとも１つのチューナからの出力信号の品質が閾値を下回ったとき、上記各チューナからの映像または音声信号の出力経路をその出力信号の品質が最悪のチューナからの出力経路に切り替えることを特徴とするデジタル放送受信装置。
【請求項１３】
請求項１２記載のデジタル放送受信装置において、前記チューナ特性記憶部には、各チューナの特性差の情報として、同一チャンネルを選局した際に各チューナからの出力信号の品質の差分値を記憶することを特徴とするデジタル放送受信装置。
【請求項１４】
複数のチューナを有し、デジタル放送を受信し、映像または音声信号を出力するデジタル放送受信装置において、
上記各チューナから出力される信号の品質を比較するチューナ特性比較部と、
該チューナ特性比較部により求めた各チューナの特性差の情報を記憶するチューナ特性記憶部と、
上記各チューナからの出力信号に含まれる品質情報をそれぞれ変更する品質情報変更部と、
上記映像または音声信号の出力を制御する出力制御部と、を備え、
該出力制御部は、上記チューナ特性記憶部に記憶する各チューナの特性差の情報を用いて、上記品質情報変更部に対し、各チューナからの出力信号に含まれる品質情報が同一になるよう変更させることを特徴とするデジタル放送受信装置。
【請求項１５】
請求項１４記載のデジタル放送受信装置において、前記チューナからの出力信号はパケット形式のトランスポートストリームであり、前記品質情報とは、該ストリームのパケットヘッダに含まれる１ビットのトランスポートエラーインジケータであることを特徴とするデジタル放送受信装置。
【請求項１６】
請求項１４記載のデジタル放送受信装置において、
前記出力制御部は、前記品質情報変更部からの出力信号の品質の中で最悪の品質が閾値を下回ったとき、前記全てのチューナからの出力を停止することを特徴とするデジタル放送受信装置。
【請求項１７】
複数のチューナを有し、デジタル放送を受信し、映像または音声信号を出力するデジタル放送受信装置において、
上記各チューナから出力される信号の品質を比較するチューナ特性比較部と、
該チューナ特性比較部により求めた各チューナの特性差の情報を記憶するチューナ特性記憶部と、
上記各チューナへの入力信号の品質を調整する入力信号調整部と、
上記映像または音声信号の出力を制御する出力制御部と、を備え、
該出力制御部は、上記チューナ特性記憶部に記憶する各チューナの特性差の情報を用いて、上記入力信号調整部に対し、各チューナからの出力信号の品質が同一になるよう調整させることを特徴とするデジタル放送受信装置。
【請求項１８】
請求項１７記載のデジタル放送受信装置において、前記入力信号調整部は、前記各チューナへの入力信号のレベルを減衰して調整することを特徴とするデジタル放送受信装置。
【請求項１９】
請求項１７記載のデジタル放送受信装置において、
前記出力制御部は、前記各チューナからの出力信号の品質の中で最悪の品質が閾値を下回ったとき、前記全てのチューナからの出力を停止することを特徴とするデジタル放送受信装置。
【発明の詳細な説明】
【技術分野】
【０００１】
本発明は、複数のチューナを有するデジタル放送受信装置に関するものである。
【背景技術】
【０００２】
近年、一台の受信装置に２系統のチューナを搭載し、２つのチャンネルの番組を同時に受信できる放送受信装置が製品化されている。これにより、同時刻に放送される異なるチャンネルの番組を同時に視聴したり、一方を視聴、他方を録画するといった使用が可能となる。また、２つの番組を同時に録画するＨＤＤレコーダを内蔵した受信装置も発売されている。
【０００３】
一方、デジタル放送の普及が進み、日本では、２００６年末までに全国で地上デジタル放送が開始される。デジタル放送では、高画質な映像の伝送や、データ放送、電子番組表などの機能の提供が可能となる。
【０００４】
よって、今後は、一台の受信装置に複数のチューナが搭載されたデジタル放送受信装置が有望と見られる。特許文献１には、複数のチューナを搭載したデジタル放送受信装置において、装置の小型化と各チューナの局部発振信号の干渉を防止する技術が記載される。
【０００５】
【特許文献１】特開２００３−３４７９４８号公報
【発明の開示】
【発明が解決しようとする課題】
【０００６】
一台の受信装置に複数のチューナを搭載した場合、各チューナ間に受信特性の差があると、出力される映像・音声の品質に差が生じる。アナログ放送受信の際には、この品質差はチューナの特性差と共に連続的に変化するが、デジタル放送受信の際には、この品質差はある条件で顕著に増大する場合がある。これは、デジタル放送受信では、入力信号に対する出力映像・音声の品質が、ある閾値で急峻に変化するからである。つまり、入力信号レベルが減衰して許容値を下回ると、出力映像・音声が急激に乱れることになる。
【０００７】
この現象は、複数チューナを搭載した受信装置の場合、ユーザに不要な誤解や不快感を与える恐れがある。すなわち、性能がわずかに異なる第１、第２系統のチューナを用いて、同一チャンネルの番組を視聴した場合、放送信号の受信状態によっては、第１系統では正常に視聴できるのに、第２系統では映像・音声が乱れて視聴できないという状況が発生する。あるいは、第２系統のチューナを用いて録画した場合に、再生時に正常に視聴できない結果となる。なお、複数チューナを同一チャンネルで使用するのは、視聴と録画をそれぞれ独立に制御して実行する場合などである。
【０００８】
このような状況に遭遇したユーザは、受信装置の第２系統のチューナ、あるいは録画装置が故障して視聴や録画に失敗したものと判断する。さらには、メーカに対して装置の点検修理を依頼することにもなる。しかしながらこの判断は誤りで、いずれのチューナも、また録画装置も単独では正常な性能を有しているのである。もちろんこのような誤解は、根本的には複数のチューナ間での特性差をなくすれば解消できるが、そのためには各チューナの特性を厳しく管理せねばならず、部品および調整のコストが高騰する。
【０００９】
本発明の目的は、複数チューナ間に特性差があっても、各チューナからの出力品質の差をなくして、ユーザに不要な誤解や不快感を与えないようにすることである。
【課題を解決するための手段】
【００１０】
本発明のデジタル放送受信装置は、各チューナから出力される信号の品質を比較するチューナ特性比較部と、映像または音声信号の出力を制御する出力制御部とを備え、出力制御部は、チューナ特性比較部の比較結果に基づき、全てのチューナからの映像または音声信号の出力を停止するように制御する。特に出力制御部は、各チューナからの出力信号の品質の中で最悪の品質が閾値を下回ったとき、全てのチューナからの出力を停止する。その際出力制御部は、チューナの後段に接続される多重分離部またはデコード部からの出力を停止するのが好ましい。
【００１１】
本発明のデジタル放送受信装置は、各チューナから出力される信号の品質を比較するチューナ特性比較部と、映像または音声信号の出力を制御する出力制御部とを備え、出力制御部は、チューナ特性比較部の比較結果に基づき、各チューナのうち少なくとも１つのチューナからの出力信号の品質が閾値を下回ったとき、各チューナからの映像または音声信号の出力経路をその出力信号の品質が最悪のチューナからの出力経路に切り替えるよう制御する。
【００１２】
上記した本発明のデジタル放送受信装置では、さらにチューナ特性比較部により求めた各チューナの特性差の情報を記憶するチューナ特性記憶部を有する。そして、１つのチューナから取得した出力信号の品質と、チューナ特性記憶部に記憶する各チューナの特性差の情報を用いて、他のチューナからの出力信号の品質を算出し、その結果に基づいて出力制御部は上記した出力の制御を行う。
【００１３】
本発明のデジタル放送受信装置は、各チューナから出力される信号の品質を比較するチューナ特性比較部と、チューナ特性比較部により求めた各チューナの特性差の情報を記憶するチューナ特性記憶部と、各チューナからの出力信号に含まれる品質情報をそれぞれ変更する品質情報変更部と、映像または音声信号の出力を制御する出力制御部とを備える。出力制御部は、チューナ特性記憶部に記憶する各チューナの特性差の情報を用いて、品質情報変更部に対し、各チューナからの出力信号に含まれる品質情報が同一になるよう変更させる。
【００１４】
本発明のデジタル放送受信装置は、各チューナから出力される信号の品質を比較するチューナ特性比較部と、チューナ特性比較部により求めた各チューナの特性差の情報を記憶するチューナ特性記憶部と、各チューナへの入力信号の品質を調整する入力信号調整部と、映像または音声信号の出力を制御する出力制御部とを備える。出力制御部は、チューナ特性記憶部に記憶する各チューナの特性差の情報を用いて、入力信号調整部に対し、各チューナからの出力信号の品質が同一になるよう調整させる。
【００１５】
上記した本発明のデジタル放送受信装置では、信号の品質として、Ｃ／Ｎ比、Ｓ／Ｎ比、エラーレートの少なくとも１つを用いる。また、チューナ特性記憶部には、受信するチャンネル毎に各チューナの特性差の情報を記憶するのが好ましい。
【発明の効果】
【００１６】
本発明によれば、受信装置の動作に関しユーザに不要な誤解や不快感を与えることがなくなる効果がある。
【発明を実施するための最良の形態】
【００１７】
以下本発明によるデジタル放送受信装置の実施形態について、図面を用いて説明する。
【実施例１】
【００１８】
図１は、本発明に係るデジタル放送受信装置の一実施例を示す全体構成図である。本実施例のデジタル放送受信装置１は、複数系統（ここでは簡単のために２系統）のチューナを備え、制御部２（例えばＣＰＵ）、フロントエンド部３（２系統のチューナを含む）、多重分離部４、ＭＰＥＧデコード部５、ユーザーインターフェース部７（例えばリモコン、マウス、キーボード）、およびシステムバス部９を有する。ここで、フロントエンド部３、多重分離部４、ＭＰＥＧデコード部５は、２系統の信号を独立して処理可能なものである。また装置外部には、出力端子を介して、映像・音声出力部６（例えばＰＤＰ、ＣＲＴ、液晶表示装置、スピーカ）と記録部８（例えばＨＤＤまたはＤＶＤレコーダ、ＶＴＲ）を接続する。もちろん、映像・音声出力部６や記録部８は受信装置１に内蔵する構成でも良い。
【００１９】
デジタル放送を受信し、放送番組の視聴を行う際の装置の動作を説明する。外部のアンテナ等から入力された放送信号は、入力端子を介してフロントエンド部３に入力する。ユーザは、ユーザーインターフェース部７を介して番組のチャンネル（以下ＣＨ）を選択する。本実施例では、２つのＣＨを選択することができる。選択されたＣＨは制御部２に通知され、制御部２はフロントエンド部３に対してそのＣＨの選局を指示する。フロントエンド部３は、２つのＣＨの選局、デジタル復調、伝送路復号等の処理を行い、放送信号から２系統のＭＰＥＧ２−ＴＳ（トランスポートストリーム、以下ＴＳ）を取得し、多重分離部４に出力する。多重分離部４では入力された２系統のＴＳを分離し、映像ＥＳ（エレメンタリストリーム）、音声ＥＳ、その他のＥＳ（データ、字幕）、ＰＳＩ（番組特定情報）やＳＩ（番組配列情報）などの番組情報を取得する。ＭＰＥＧデコード部５はＴＳから分離された映像ＥＳおよび音声ＥＳをデコードし、２系統の映像・音声信号を出力する。ＭＰＥＧデコード部５から出力された映像・音声信号は、映像・音声出力部６に出力され、２つのＣＨの映像・音声として表示し、ユーザはこれを視聴する。
【００２０】
一方、放送番組の記録を行う際の装置の動作を説明する。番組視聴時と同様に、フロントエンド部３は選択されたＣＨの選局を行い、録画対象番組のＴＳを多重分離部４に出力する。放送番組をＴＳのまま録画する場合は、多重分離部４は録画番組を含むＴＳを作成し、記録部８にＴＳのまま出力する。あるいは放送番組を映像・音声信号にデコードしてから記録する場合は、ＭＰＥＧデコード部５にてデコードされた映像・音声信号を、記録部８に出力する。記録部８はこれらのＴＳあるいは映像・音声信号をＨＤＤなどの記録媒体に記録し、また再生する。
【００２１】
本実施例では、フロントエンド部３で異なる２つのＣＨを選局し、それぞれについて視聴あるいは録画することができる。その場合、視聴している番組を同時に録画することも可能である。また、フロントエンド部３で同一ＣＨを２系統で選局し、一方で視聴し、他方で録画することも可能である。
【００２２】
デジタル放送信号の受信品質の低下による映像・音声の劣化について説明する。フロントエンド部３は、デジタル復調や伝送路復号を行う際に受信信号の誤りを訂正する。入力される放送信号の受信品質が低下すると、誤り訂正ができずに誤りの含まれたＴＳ（パケット形式）を出力する。誤りを訂正できなかったＴＳパケットには、そのヘッダ部分に、誤りが存在していることを示すエラービットが付加される。エラービットが付加されたＴＳパケットは多重分離部４にて廃棄し、ＭＰＥＧデコード部５は誤りを含まないＴＳパケットのみでデコードを行う。しかし、廃棄したＴＳパケットに含まれる情報が失われる結果、画質の低下やノイズ増加が生じることになる。
【００２３】
図２は、本実施例におけるフロントエンド部３の内部構成を示す図である。フロントエンド部３は、２系統のチューナＡ２５、チューナＢ２６と、チューナ制御部２１、チューナ特性比較部２３、チューナ制御バス部２４を有する。チューナ制御部２１は、システムバス部９を介し制御部２と通信する。入力端子４０から入力した放送信号はチューナ２５，２６に入力され、チューナ制御部２１からの制御に従い、それぞれ選局、デジタル復調、伝送路復号などデジタル放送受信に必要な処理を行い、出力端子４１，４２から２系統のＴＳを出力する。この時チューナ特性比較部２３は、各チューナから出力されるＴＳの品質として、Ｃ／Ｎ比（搬送波電力対雑音電力比）、Ｓ／Ｎ比（信号電力対雑音電力比）、ＢＥＲ（ビットエラーレート、ビット誤り率）等を取得する。ここに出力ＴＳの品質は、受信した放送信号の品質と、これを処理するチューナの特性で決まる。チューナ２５，２６で同一ＣＨを選局している場合は、各チューナの特性差がＴＳの品質差として現われる。
【００２４】
本実施例では、チューナ２５，２６からの出力ＴＳの品質が所定値（許容値）以下に劣化すると、チューナ特性比較部２３は、チューナ制御バス部２４を介してチューナ制御部２１に品質劣化を通知する。これを受けチューナ制御部２１は、システムバス部９を介して制御部２に通知する。さらに制御部２は、多重分離部４またはＭＰＥＧデコード部５に対して、ＴＳまたは映像・音声信号の出力を停止するように制御を行う。その結果、映像・音声出力部６や記録部８に対する信号供給は停止する。
【００２５】
図３は、本実施例における映像・音声信号の出力制御を示すフローチャート図である。２つのチューナＡ２５，Ｂ２６で同一ＣＨを選局している場合、両者の出力品質を取得し、これに基づき、各チューナからの映像・音声出力を制御するものである。
【００２６】
まずチューナ制御部２１は、チューナＡとチューナＢが同一ＣＨを選局しているかどうかを判定する（Ｓ１０１）。同一ＣＨの場合、チューナ特性比較部２３は、チューナＡからの出力ＴＳの品質ＳＱＡと、チューナＢからの出力ＴＳの品質ＳＱＢを取得する（Ｓ１０２、Ｓ１０３）。ＴＳの品質ＳＱとしては、例えばＣ／Ｎ比を用いる。ＳＱＡとＳＱＢを比較し、いずれのチューナの出力品質が悪い（例えばＣ／Ｎ比が低い）かを判定する（Ｓ１０４）。
【００２７】
ＳＱＡの方が品質が悪い場合（Ｓ１０４のＹｅｓ）、次にＳＱＡと閾値Ｔを比較する（Ｓ１０５）。ここでの閾値Ｔは、映像や音声が不快なく視聴可能な品質を表す値である。ＳＱＡがこの閾値Ｔより悪い場合（Ｓ１０５のＹｅｓ）、制御部２に通知し、両方のチューナＡ，Ｂからの映像・音声信号の出力を、多重分離部４やＭＰＥＧデコード部５などの段階で停止させる制御を行う（Ｓ１０６）。ＳＱＡがこの閾値Ｔより良い場合には（Ｓ１０５のＮｏ）、映像・音声信号の出力は継続する。
【００２８】
ＳＱＡとＳＱＢを比較し、ＳＱＢの方が品質が悪い場合（Ｓ１０４のＮｏ）は、ＳＱＢについて同様に処理を行う（Ｓ１０７、Ｓ１０８）。
【００２９】
このように、特性の劣る側のチューナから出力されるＴＳの品質が所定の閾値を下回った場合に、両方のチューナからの映像・音声出力を停止する。これより、同一ＣＨを受信しながら、一方のチューナの出力は正常に映像が表示されて、他方のチューナの出力は映像が乱れるといった状況を避けることができる。
【００３０】
ここでは、制御部２はチューナから取得した出力品質情報をもとに、映像と音声の出力停止を行った。この情報は、他にも、受信レベルが低下している旨のメッセージをユーザに通知する際の判定基準として用いることや、再生可能な映像や音声の判定基準、現在選局しているＣＨが受信可能かどうかの判定基準としても利用できる。
【００３１】
また、ここでは、チューナから取得した出力品質が低下したことをチューナ特性比較部２３が判定したが、制御部２にて判定するようにしても良い。その場合には、チューナ特性比較部２３は制御部２に対し、特性が悪いチューナから取得した出力品質値を、それぞれのチューナから取得した出力品質値として通知する。
【実施例２】
【００３２】
図４は、本発明のデジタル放送受信装置におけるフロントエンド部３の他の実施例を示す構成図である。受信装置全体の構成は図１と共通である。本実施例では、チューナ出力切り替え部２７を設け、各チューナＡ，Ｂの出力品質をもとに、チューナ出力の信号系統を切り替える制御を行うことに特徴がある。チューナ特性比較部２３は各チューナＡ，Ｂからの出力品質を比較判定し、チューナ制御部２１に通知する。チューナ制御部２１はチューナ出力切り替え部２７に指示し、各チューナの出力系統を切り替えて接続させる。通常状態では、チューナＡ２５の出力はＴＳ出力Ａ（４１）に、またチューナＢ２６の出力はＴＳ出力Ｂ（４２）に接続されている。出力切り替えにより、例えば、チューナＡ２５の出力をＴＳ出力Ａ（４１）とＴＳ出力Ｂ（４２）の両方に供給するようにする。
【００３３】
図５は、本実施例におけるチューナ出力信号の出力制御を示すフローチャート図である。まずチューナ制御部２１は、チューナＡとチューナＢが同一ＣＨを選局しているかどうかを判定する（Ｓ２０１）。同一ＣＨの場合、チューナ特性比較部２３は、チューナＡからの出力ＴＳの品質ＳＱＡと、チューナＢからの出力ＴＳの品質ＳＱＢを取得する（Ｓ２０２、Ｓ２０３）。ここで、ＳＱＡとＳＱＢについて閾値Ｔと比較する（Ｓ２０４）。ＳＱＡとＳＱＢの少なくとも一方が閾値Ｔより悪い場合、ＳＱＡとＳＱＢを比較し、いずれのチューナの出力品質が悪いかを判定する（Ｓ２０５）。ＳＱＡの方が悪い場合（Ｓ２０５のＹｅｓ）チューナ制御部２１に通知する。チューナ制御部２１はこの通知を受け、チューナＢの出力の代わりにチューナＡの出力を使用するよう、チューナ出力切り替え部２７に指示する。チューナ出力切り替え部２７は、チューナＡの出力をＴＳ出力Ａ（４１）とＴＳ出力Ｂ（４２）の両方に接続するように制御する（Ｓ２０６）。
【００３４】
ＳＱＡとＳＱＢを比較し、ＳＱＢの方が悪い場合（Ｓ２０５のＮｏ）チューナ制御部２１に通知し、チューナ出力切り替え部２７は、チューナＢの出力をＴＳ出力Ａ（４１）とＴＳ出力Ｂ（４２）の両方に接続するように制御する（Ｓ２０７）。Ｓ２０４で、ＳＱＡとＳＱＢの何れも閾値Ｔより良い場合には、出力の切り替えはしない。
【００３５】
このように、同一ＣＨを選局していて一方のチューナの出力品質が劣化した場合、特性の悪いチューナの出力信号を両方のＴＳ出力に接続する。これより、同一ＣＨを受信しながら、一方のチューナの出力は正常に映像が表示されて、他方のチューナの出力は映像が乱れるといった状況を避けることができる。本実施例では、両系統で視聴または記録される映像・音声は同質の品質となる。
【実施例３】
【００３６】
図６は、本発明のデジタル放送受信装置におけるフロントエンド部３の他の実施例を示す構成図である。本実施例では、前記実施例１（図２）の構成において、さらに各チューナＡ，Ｂの特性を記憶するチューナ特性記憶部２２を設けたことに特徴がある。そして、一方のチューナの出力品質を取得するだけで、他方のチューナの出力品質を推定して出力を制御するものである。チューナ特性記憶部２２には、各チューナ間の特性差ＱＤを記憶し、チューナ特性比較部２３はこの特性差ＱＤを用いて、他方のチューナの出力品質を算出する。そして、両チューナのうちで出力品質が悪い方の品質が許容値以下の場合、チューナ制御部２１は両方のチューナＡ，Ｂからの映像・音声出力を停止する制御を行う。
【００３７】
図７は、本実施例における映像・音声信号の出力制御を示すフローチャート図である。図７（ａ）は、各チューナＡ，Ｂの特性を記憶するまでの処理を、図７（ｂ）は記憶した特性を用いて映像・音声信号の出力制御の処理を示す。
【００３８】
図７（ａ）において、同一ＣＨを選局し（Ｓ３０１）、チューナＡ２５、チューナＢ２６の出力品質ＳＱＡ、ＳＱＢを取得する（Ｓ３０２、Ｓ３０３）。ＳＱＡとＳＱＢを比較し、ＳＱＡの方が出力品質が悪い場合（Ｓ３０４のＹｅｓ）、チューナＡのチューナ特性（相対値）ＱＤＡを０、チューナＢのチューナ特性ＱＤＢをＳＱＡとＳＱＢの差分値とする（Ｓ３０５）。ＳＱＢの方が出力品質が悪い場合（Ｓ３０４のＮｏ）、ＱＤＢを０、ＱＤＡをＳＱＢとＳＱＡの差分値とする（Ｓ３０６）。このようにして取得したＱＤＡとＱＤＢの値を、チューナ特性記憶部２２に通知して記憶させる（Ｓ３０７）。すなわち、各チューナの相対特性ＱＤの値は、そのチューナの特性が他のチューナと比べて悪い場合には０となり、他のチューナの特性と比べて良い場合には、差分値となる。例えば、ここで出力品質値としてビタビ復号後のビット誤り率を例に挙げると、ＳＱＡ＝２ｘ１０−３でＳＱＢ＝３ｘ１０−３のようにＳＱＢの特性の方が悪い場合は、ＱＤＡ＝１ｘ１０−３、ＱＤＢ＝０として、チューナ特性記憶部２２に記憶される。
【００３９】
次に図７（ｂ）の出力制御処理を説明する。ここでは、チューナ特性記憶部２２に記憶したチューナ特性値（相対値）ＱＤを用いて、受信動作中のチューナから取得した出力品質値を補正し、最も品質の悪いチューナの出力品質を推定する。例えば、チューナ特性値ＱＤＡ＝１ｘ１０−３、ＱＤＢ＝０とする。
【００４０】
選局を行ってチューナＡから出力品質値ＳＱＡを取得する（Ｓ３１１）。ここでは出力品質値がＳＱＡ＝２ｘ１０−３とする。次にこの値ＳＱＡにチューナＡの特性ＱＤＡの値を加えて補正を行う（Ｓ３１２）。補正計算の結果、最悪の出力品質値ＳＱ（ここではチューナＢの出力品質値ＳＱＢ）は３ｘ１０−３であると判定する。このＳＱを閾値Ｔと比較し（Ｓ３１３）、閾値Ｔより悪い場合（Ｓ３１３のＹｅｓ）、全てのチューナＡ，Ｂからの映像と音声の出力を停止する制御を行う（Ｓ３１４）。
【００４１】
上記の説明は、チューナＡが動作中の場合であるが、チューナＢが動作中の場合も同様である。この場合、チューナＢから取得する出力品質ＳＱＢは３ｘ１０−３となり、これにチューナＢの特性ＱＤＢ（＝０）の値を加える補正を行い、最悪の出力品質値ＳＱは上記と同じ値３ｘ１０−３と判定される。
【００４２】
このように各チューナの特性を予め記憶しておくことにより、動作中の１つのチューナの出力品質を取得するだけで、他のチューナからの出力品質を推定することができる。その結果、各チューナからの出力信号の品質を揃えることが可能になる。
【００４３】
すなわち、同一ＣＨを異なるチューナで、異なるタイミングで選局した場合に、一方のチューナからは正常な視聴ができて、他方のチューナからの映像・音声は視聴できないといった状況を回避できる。
【００４４】
前記チューナ特性の記憶は、チューナから取得できる出力品質が良好で、チューナの特性差が取得できない場合には、記憶を行わないことが望ましい。例えば、入力信号の品質が良すぎる場合、特性の悪いチューナでもビタビ復号で全ての誤りが訂正でき、それぞれのチューナから取得できるビット誤り率は共に０となる。この場合は、チューナの特性差を取得できない。このような際にはチューナの特性を記憶しないことが望ましい。
【００４５】
または、上記のようにビタビ復号でビット誤り率が共に０となる場合には、デジタル復調の際に取得可能なＣ／Ｎ値を出力品質として用いて処理することも可能である。
【００４６】
上記の例では、各チューナの特性を出力品質の差分値として記憶し補正する例を示したが、これに限定されず、特性の違いを表現できれば他の方法でも良い。例えば各チューナの特性を出力品質の比の値として記憶し、乗除算により補正することもできる。
【００４７】
また、ＣＨ毎にチューナの特性差が変動するような場合には、チューナ特性記憶部２２には、ＣＨ番号毎にＱＤＡとＱＤＢを記憶させれば補正の精度が向上する。これより、各ＣＨ毎に、各チューナから取得できる出力品質を揃えることが可能になる。
【００４８】
また本実施例の変形例として、各チューナの特性を記憶することにより、１つのチューナのみを用いて選局を行う場合には、最も特性の悪いチューナを選局に用いることも可能になる。
【実施例４】
【００４９】
図８は、本発明のデジタル放送受信装置におけるフロントエンド部３の他の実施例を示す構成図である。本実施例では、前記実施例３（図６）の構成において、さらに誤り情報加工部Ａ２８，Ｂ２９を設けたことに特徴があり、チューナＡ２５，Ｂ２６の出力信号に誤り情報を追加して挿入するものである。
【００５０】
チューナ特性記憶部２２には、各チューナの特性ＱＤＡ、ＱＤＢを取得し記憶する。その手順は、前記図７のフローチャートに従う。
【００５１】
誤り情報加工部Ａでは記憶したＱＤＡを、誤り情報加工部ＢにはＱＤＢを設定する。チューナＡを用いて選局を行う場合、誤り情報加工部Ａは、チューナＡから出力された信号に対し、ＱＤＡの値に相当する誤りを挿入する。例えばＱＤＡが１ｘ１０−３の場合、１０００ビットに対して１ビットの誤りが存在するような割合で、誤り情報を追加して挿入する。一例として、チューナからの出力がＭＰＥＧ−ＴＳパケットの場合は、ＴＳパケットのヘッダに含まれるトランスポートエラーインジケータのビットを、ＱＤＡの示す割合で「誤りあり」に情報を加工する。この際、すでにビットが「誤りあり」となっている場合には、別のＴＳパケットヘッダに含まれるトランスポートエラーインジケータを加工するようにし、誤りビットが重複しないように設定を行う。
【００５２】
チューナＢを用いて選局を行う場合、誤り情報加工部Ｂは、チューナＢから出力された信号に対し、ＱＤＢの値に相当する誤りを挿入する。例えばＱＤＢが０の場合には、誤り情報の追加はない。
【００５３】
このように、誤り情報加工部Ａ，Ｂにより、各チューナＡ，Ｂから出力される信号に含まれる誤り情報を変更し、誤り率を揃えることができる。これにより、各チューナから出力される信号の品質を揃えることが可能になる。
【００５４】
ＣＨ毎にチューナの特性差が変動するような場合には、チューナ特性記憶部２２には、ＣＨ番号毎にＱＤＡとＱＤＢを記憶させる。これより、各ＣＨ毎に、各チューナから出力される信号の誤り率を揃えることが可能になる。
【００５５】
本実施例で設けた誤り情報加工部２８，２９は一例であり、各チューナからの出力信号に含まれる品質情報を変更する品質情報変更部であれば良い。そしてチューナ特性記憶部２２に記憶する各チューナの特性差を用いて、品質情報変更部は、各チューナからの出力信号に含まれる品質情報が同一になるよう変更する。
【００５６】
さらに本実施例の構成において、前記実施例１や実施例２で述べた出力制御を組み合わせることも可能である。すなわち、チューナ特性比較部２３及びチューナ制御部２１は、各誤り情報加工部Ａ，Ｂからの出力品質に差が生じ、品質の悪い方の出力が閾値を下回った場合、両方の出力を停止させる、あるいは品質の悪い方の出力に切り替えるように制御する。これにより、さらに精度の良い出力制御が可能となる。
【実施例５】
【００５７】
図９は、本発明のデジタル放送受信装置におけるフロントエンド部３の他の実施例を示す構成図である。本実施例では、前記実施例３（図６）の構成において、さらに入力信号調整部Ａ３０，Ｂ３１を設けたことに特徴があり、チューナＡ２５，Ｂ２６の入力信号を調整（例えば信号レベルを減衰）するものである。またチューナ特性記憶部２２では、各入力信号調整部Ａ，Ｂに設定する調整量（減衰量）を記憶する。
【００５８】
図１０は、本実施例における映像・音声信号の出力制御を示すフローチャート図である。図１０（ａ）は、各入力信号調整部Ａ，Ｂの減衰量を記憶するまでの処理を、図１０（ｂ）は記憶した減衰量を用いてチューナ出力を制御する処理を示す。
【００５９】
図１０（ａ）において、同一ＣＨを選局し（Ｓ４０１）、各出力品質の差分値｜ＳＱＡ−ＳＱＢ｜を閾値Ｕと比較する（Ｓ４０４）。この閾値Ｕは、チューナの特性差の許容値である。差分値が閾値Ｕより大きい場合（Ｓ４０４のＹｅｓ）、どちらのチューナの出力品質が良いかを判定する（Ｓ４０５）。チューナＡから取得した出力品質ＳＱＡの方が良い場合（Ｓ４０５のＹｅｓ）、チューナＡの入力側に接続されている入力信号調整部Ａの減衰量ＤＡを所定量ｄだけ増加させて設定する（Ｓ４０６）。逆に、チューナＢから取得した出力品質ＳＱＢの方が良い場合（Ｓ４０５のＮｏ）、チューナＢの入力側に接続されている入力信号調整部Ｂの減衰量ＤＢを所定量ｄだけ増加させて設定する（Ｓ４０７）。その後、再び各チューナから出力品質を取得し（Ｓ４０２、Ｓ４０３）、減衰量ＤＡ，ＤＢの設定を繰り返す。繰り返した結果、差分値｜ＳＱＡ−ＳＱＢ｜が閾値Ｕより小さくなった場合（Ｓ４０４のＮｏ）、ＤＡとＤＢの値をチューナ特性記憶部２２に通知して記憶する（Ｓ４０８）。なお、減衰量ＤＡとＤＢの初期値は０（減衰量無し）としておく。
【００６０】
次に図１０（ｂ）の出力制御処理を説明する。チューナＡを用いて受信する場合、特性記憶部２２から減衰量ＤＡの値を読み出し（Ｓ４１１）、入力信号調整部Ａに対して設定する（Ｓ４１２）。チューナＢを用いて受信する場合も同様に、減衰量ＤＢの値を入力信号調整部Ｂに対して設定する。このようにして、それぞれのチューナＡ，Ｂから出力される信号のレベルを揃えることが可能になる。
【００６１】
ＣＨ毎にチューナの特性差が変動するような場合には、チューナ特性記憶部２２には、ＣＨ番号毎にＤＡとＤＢを記憶させれば、どのＣＨにおいても、各チューナから取得できる出力品質を揃えることが可能になる。
【００６２】
ここで入力信号調整部３０，３１の機能は、減衰器としての機能に限定されない。例えば、入力する放送信号を各チューナに分配する比率や、入力信号に対する周波数フィルタの設定値など、入力信号を調整し各チューナから出力される信号の品質を揃えるものであれば適用できる。
【００６３】
さらに本実施例の構成において、前記実施例１や実施例２で述べた出力制御を組み合わせることも可能である。すなわち、チューナ特性比較部２３及びチューナ制御部２１は、各チューナＡ，Ｂからの出力品質に差が生じ、品質の悪い方の出力が閾値を下回った場合、両方の出力を停止させる、あるいは品質の悪い方の出力に切り替えるように制御する。これにより、さらに精度の良い出力制御が可能となる。
【００６４】
以上述べた各実施例では、２系統のチューナを搭載した受信装置について述べたが、３系統以上の複数のチューナを搭載する場合にも、同様に適用できる。その場合には、全てのチューナの特性を比較し、最も特性の劣るチューナを基準に、他のチューナの出力を揃えるように制御すれば良い。また各実施例では、同一のデジタル放送信号を共通の入力端子から複数のチューナに入力する構成としたが、放送信号をそれぞれ異なる入力端子から入力しても同様である。また受信するデジタル放送信号は映像と音声の一方のみ、あるいはデータ放送の場合にも適用できる。
【００６５】
各実施例によれば、デジタル放送受信装置の各チューナに特性差があっても、同一チャンネル受信時の出力品質を揃えることが可能になる。よって、ユーザに不要な誤解や不快感を与えることがない。また、従来の受信装置の検査工程において、チューナの特性差が大きい場合、検査で不合格としていたが、チューナの特性差をソフトウェア処理で救済することができ、製造歩留まりを向上させることが可能になる。
【図面の簡単な説明】
【００６６】
【図１】本発明に係るデジタル放送受信装置の一実施例を示す全体構成図。
【図２】図１の実施例におけるフロントエンド部の内部構成を示す図。
【図３】図２の実施例における映像・音声信号の出力制御を示すフローチャート図。
【図４】本発明におけるフロントエンド部の他の実施例を示す構成図。
【図５】図４の実施例におけるチューナの出力制御を示すフローチャート図。
【図６】本発明におけるフロントエンド部の他の実施例を示す構成図。
【図７】図６の実施例における映像・音声信号の出力制御を示すフローチャート図。
【図８】本発明におけるフロントエンド部の他の実施例を示す構成図。
【図９】本発明におけるフロントエンド部の他の実施例を示す構成図。
【図１０】図９の実施例における映像・音声信号の出力制御を示すフローチャート図。
【符号の説明】
【００６７】
１…デジタル放送受信装置、２…制御部、３…フロントエンド部、４…多重分離部、５…ＭＰＥＧデコード部、６…映像・音声出力部、７…ユーザーインターフェース部、８…記録部、９…システムバス部、２１…チューナ制御部、２２…チューナ特性記憶部、２３…チューナ特性比較部、２４…チューナ制御バス部、２５，２６…チューナ、２７…チューナ出力切り替え部、２８，２９…誤り情報加工部、３０，３１…入力信号調整部。
【図１】
2006333285.tif 000003
【図２】
2006333285.tif 000004
【図３】
2006333285.tif 000005
【図４】
2006333285.tif 000006
【図５】
2006333285.tif 000007
【図６】
2006333285.tif 000008
【図７】
2006333285.tif 000009
【図８】
2006333285.tif 000010
【図９】
2006333285.tif 000011
【図１０】
2006333285.tif 000012